(57)【要約】【課題】不要信号によるバッファの占有をなくすことにより、伝送効率向上を図るＴＤＭＡ方式移動体通信システムにおける送信方式を提供する。【解決手段】基地局は、基地局から端末４００へ伝送される送信信号を通信網１００から基地局への到着した時にスケジュールする機能と、基地局への到着した時にスケジュールできない信号を複数蓄積する機能と、１フレーム毎に蓄積された信号から空きスケジュールに対する条件を満たす信号を選定しスケジュールする機能と、スケジュールされた信号を端末４００に対して送信する機能と、蓄積された信号が上位局（通信網１００）から通知された時間内に送信出来ない時に破棄する機能と、信号破棄状況を計測／記憶する機能と、信号破棄状況に基づいて基地局への到着した時に信号を破棄する機能とを有する。【選択図】      図１
2004173057.tif 000002
【特許請求の範囲】
【請求項１】
基地局がサービスエリア内の複数の端末と時分割多重されたタイムスロットを用いて双方向通信を行うＴＤＭＡ方式移動体通信システムにおける送信方式において、前記基地局から前記端末へ伝送される送信信号を上位局から前記基地局への到着時にスケジュールする機能と、前記基地局への到着時にスケジュールできない信号を複数蓄積する機能と、１フレーム毎に蓄積された信号から空きスケジュールにスケジュールする条件を満たす信号を選定してスケジュールする機能と、スケジュールされた信号を前記端末に対して送信する機能と、蓄積された信号が前記上位局から通知された時間内に送信できない時に破棄する機能と、信号の破棄状況を計測／記憶する機能と、前記基地局へ到着した信号を破棄状況に基づいて破棄する機能と、を有する送信装置を前記基地局に備えることを特徴とするＴＤＭＡ方式移動体通信システムにおける送信方式。
【請求項２】
基地局がサービスエリア内の複数の端末と時分割多重されたタイムスロットを用いて双方向通信を行うＴＤＭＡ方式移動体通信システムにおける送信方式において、前記基地局から前記端末へ伝送される送信信号を送信開始条件に従って上位局から前記基地局への到着時にスケジュールする機能と、前記基地局への到着時にスケジュールできない信号を前記送信開始条件と共に到着順に複数蓄積する機能と、１フレーム毎に到着順に蓄積された信号の前記送信開始条件を判定して空きスケジュールにスケジュールする条件と一致する信号を選定してスケジュールする機能と、選定された信号が存在する場合に前記端末に対して送信する機能と、蓄積された信号が前記上位局から通知された時間内に送信できない時に破棄する機能と、前記送信開始条件毎に信号の破棄状況を計測／記憶する機能と、前記基地局へ到着した信号を前記送信開始条件毎の破棄状況に基づいて破棄する機能と、を有する送信装置を前記基地局に備えることを特徴とするＴＤＭＡ方式移動体通信システムにおける送信方式。
【請求項３】
基地局がサービスエリア内の複数の端末と時分割多重されたタイムスロットを用いて双方向通信を行うＴＤＭＡ方式移動体通信システムにおける送信方式において、前記基地局から前記端末へ伝送される送信信号を上位局から前記基地局への到着時にスケジュールする機能と、前記基地局への到着時にスケジュールできない信号を複数蓄積する機能と、１フレーム毎に蓄積された信号から空きスケジュールにスケジュールする条件を満たす信号を選定してスケジュールする機能と、スケジュールされた信号を前記端末に対して送信する機能と、蓄積された信号と同一の信号が前記上位局から再送される前に、当該蓄積された信号を破棄する機能と、信号の破棄状況を計測／記憶する機能と、前記基地局へ到着した信号を破棄状況に基づいて破棄する機能と、を有する送信装置を前記基地局に備えることを特徴とするＴＤＭＡ方式移動体通信システムにおける送信方式。
【請求項４】
基地局がサービスエリア内の複数の端末と時分割多重されたタイムスロットを用いて双方向通信を行うＴＤＭＡ方式移動体通信システムにおける送信方法において、前記基地局から前記端末へ伝送される送信信号を上位局から前記基地局への到着時にスケジュールし、前記基地局への到着時にスケジュールできない信号を複数蓄積し、１フレーム毎に蓄積された信号から空きスケジュールにスケジュールする条件を満たす信号を選定してスケジュールし、スケジュールされた信号を前記端末に対して送信し、蓄積された信号が前記上位局から通知された時間内に送信できない時に破棄し、信号の破棄状況を計測／記憶し、前記基地局へ到着した信号を破棄状況に基づいて破棄することを特徴とするＴＤＭＡ方式移動体通信システムにおける送信方法。
【請求項５】
基地局がサービスエリア内の複数の端末と時分割多重されたタイムスロットを用いて双方向通信を行うＴＤＭＡ方式移動体通信システムにおける送信方法において、前記基地局から前記端末へ伝送される送信信号を送信開始条件に従って上位局から前記基地局への到着時にスケジュールし、前記基地局への到着時にスケジュールできない信号を前記送信開始条件と共に到着順に複数蓄積し、１フレーム毎に到着順に蓄積された信号の前記送信開始条件を判定して空きスケジュールにスケジュールする条件と一致する信号を選定してスケジュールし、選定された信号が存在する場合に前記端末に対して送信し、蓄積積された信号が前記上位局から通知された時間内に送信できない時に破棄し、前記送信開始条件毎に信号の破棄状況を計測／記憶し、前記基地局へ到着した信号を前記送信開始条件毎の破棄状況に基づいて破棄することを特徴とするＴＤＭＡ方式移動体通信システムにおける送信方法。
【請求項６】
基地局がサービスエリア内の複数の端末と時分割多重されたタイムスロットを用いて双方向通信を行うＴＤＭＡ方式移動体通信システムにおける送信方法において、前記基地局から前記端末へ伝送される送信信号を上位局から前記基地局への到着時にスケジュールし、前記基地局への到着時にスケジュールできない信号を複数蓄積し、１フレーム毎に蓄積された信号から空きスケジュールにスケジュールする条件を満たす信号を選定してスケジュールし、スケジュールされた信号を前記端末に対して送信し、蓄積された信号と同一の信号が前記上位局から再送される前に、当該蓄積された信号を破棄し、信号の破棄状況を計測／記憶し、前記基地局へ到着した信号を破棄状況に基づいて破棄することを特徴とするＴＤＭＡ方式移動体通信システムにおける送信方法。
【発明の詳細な説明】
【０００１】
【発明の属する技術分野】
本発明は、基地局がサービスエリア内の複数の端末と双方向通信を行うＴＤＭＡ方式移動体通信システムにおける送信方式に関し、特に不要信号によるバッファの占有をなくすＴＤＭＡ方式移動体通信システムにおける送信方式に関する。
【０００２】
【従来の技術】
従来のこの種の通信システムでは、基地局から端末へ伝送される送信信号が上位局から基地局に到着した時に、送信開始条件に従ってスケジュールし、フレーム毎にスケジュールテーブル先頭の信号をエア送信し、スケジュールテーブルを１フレーム分先に更新する。また、スケジュールできない信号は送信開始条件と共に到着順に送信バッファに蓄積され、スケジュールテーブル更新時に、空きスケジュールにスケジュールする条件と一致する信号を蓄積された信号から到着順に選定して再スケジュールすることとしている（例えば、特許文献１参照。）。
【０００３】
しかしながら、同一送信タイミングを指定した信号が複数到着した場合、先着信号のスケジュールを待ち合わせている間に、スケジュールできないで送信バッファに蓄積されたままになっている後着信号に対して、上位局と端末との間で再送制御が発生して送信バッファの占有率が高くなるという問題がある。
【０００４】
【特許文献１】
特開２０００−３４９７２９号公報
【０００５】
【発明が解決しようとする課題】
上述した従来のＴＤＭＡ方式移動体通信システムは、同一送信タイミングを指定した信号が複数到着した場合には、先着信号のスケジュール待ち合わせにより、スケジュールできず送信バッファに蓄積されたままになっている後着信号に対して、上位局による再送制御が発生して送信バッファの占有率が高くなるという欠点がある。
【０００６】
本発明の目的は、このような従来の欠点を除去するため、再送制御により不要となった信号を送信バッファから解放し、信号破棄すること、また、再送制御が発生する可能性が高い信号は送信バッファに蓄積しないことにより、送信バッファの占有時間を最適化して伝送効率向上を図るＴＤＭＡ方式移動体通信システムにおける送信方式を提供することにある。
【０００７】
【課題を解決するための手段】
本発明のＴＤＭＡ方式移動体通信システムにおける送信方式は、基地局がサービスエリア内の複数の端末と時分割多重されたタイムスロットを用いて双方向通信を行うＴＤＭＡ方式移動体通信システムにおける送信方式において、前記基地局から前記端末へ伝送される送信信号を上位局から前記基地局への到着時にスケジュールする機能と、前記基地局への到着時にスケジュールできない信号を複数蓄積する機能と、１フレーム毎に蓄積された信号から空きスケジュールにスケジュールする条件を満たす信号を選定してスケジュールする機能と、スケジュールされた信号を前記端末に対して送信する機能と、蓄積された信号が前記上位局から通知された時間内に送信できない時に破棄する機能と、信号の破棄状況を計測／記憶する機能と、前記基地局へ到着した信号を破棄状況に基づいて破棄する機能と、を有する送信装置を前記基地局に備えることを特徴としている。
【０００８】
また、本発明のＴＤＭＡ方式移動体通信システムにおける送信方式は、基地局がサービスエリア内の複数の端末と時分割多重されたタイムスロットを用いて双方向通信を行うＴＤＭＡ方式移動体通信システムにおける送信方式において、前記基地局から前記端末へ伝送される送信信号を送信開始条件に従って上位局から前記基地局への到着時にスケジュールする機能と、前記基地局への到着時にスケジュールできない信号を前記送信開始条件と共に到着順に複数蓄積する機能と、１フレーム毎に到着順に蓄積された信号の前記送信開始条件を判定して空きスケジュールにスケジュールする条件と一致する信号を選定してスケジュールする機能と、選定された信号が存在する場合に前記端末に対して送信する機能と、蓄積された信号が前記上位局から通知された時間内に送信できない時に破棄する機能と、前記送信開始条件毎に信号の破棄状況を計測／記憶する機能と、前記基地局へ到着した信号を前記送信開始条件毎の破棄状況に基づいて破棄する機能と、を有する送信装置を前記基地局に備えることを特徴としている。
【０００９】
また、本発明のＴＤＭＡ方式移動体通信システムにおける送信方式は、基地局がサービスエリア内の複数の端末と時分割多重されたタイムスロットを用いて双方向通信を行うＴＤＭＡ方式移動体通信システムにおける送信方式において、前記基地局から前記端末へ伝送される送信信号を上位局から前記基地局への到着時にスケジュールする機能と、前記基地局への到着時にスケジュールできない信号を複数蓄積する機能と、１フレーム毎に蓄積された信号から空きスケジュールにスケジュールする条件を満たす信号を選定してスケジュールする機能と、スケジュールされた信号を前記端末に対して送信する機能と、蓄積された信号と同一の信号が前記上位局から再送される前に、当該蓄積された信号を破棄する機能と、信号の破棄状況を計測／記憶する機能と、前記基地局へ到着した信号を破棄状況に基づいて破棄する機能と、を有する送信装置を前記基地局に備えることを特徴としている。
【００１０】
また、本発明のＴＤＭＡ方式移動体通信システムにおける送信方法は、基地局がサービスエリア内の複数の端末と時分割多重されたタイムスロットを用いて双方向通信を行うＴＤＭＡ方式移動体通信システムにおける送信方法において、前記基地局から前記端末へ伝送される送信信号を上位局から前記基地局への到着時にスケジュールし、前記基地局への到着時にスケジュールできない信号を複数蓄積し、１フレーム毎に蓄積された信号から空きスケジュールにスケジュールする条件を満たす信号を選定してスケジュールし、スケジュールされた信号を前記端末に対して送信し、蓄積された信号が前記上位局から通知された時間内に送信できない時に破棄し、信号の破棄状況を計測／記憶し、前記基地局へ到着した信号を破棄状況に基づいて破棄することを特徴としている。
【００１１】
また、本発明のＴＤＭＡ方式移動体通信システムにおける送信方法は、基地局がサービスエリア内の複数の端末と時分割多重されたタイムスロットを用いて双方向通信を行うＴＤＭＡ方式移動体通信システムにおける送信方法において、前記基地局から前記端末へ伝送される送信信号を送信開始条件に従って上位局から前記基地局への到着時にスケジュールし、前記基地局への到着時にスケジュールできない信号を前記送信開始条件と共に到着順に複数蓄積し、１フレーム毎に到着順に蓄積された信号の前記送信開始条件を判定して空きスケジュールにスケジュールする条件と一致する信号を選定してスケジュールし、選定された信号が存在する場合に前記端末に対して送信し、蓄積積された信号が前記上位局から通知された時間内に送信できない時に破棄し、前記送信開始条件毎に信号の破棄状況を計測／記憶し、前記基地局へ到着した信号を前記送信開始条件毎の破棄状況に基づいて破棄することを特徴としている。
【００１２】
また、本発明のＴＤＭＡ方式移動体通信システムにおける送信方法は、基地局がサービスエリア内の複数の端末と時分割多重されたタイムスロットを用いて双方向通信を行うＴＤＭＡ方式移動体通信システムにおける送信方法において、前記基地局から前記端末へ伝送される送信信号を上位局から前記基地局への到着時にスケジュールし、前記基地局への到着時にスケジュールできない信号を複数蓄積し、１フレーム毎に蓄積された信号から空きスケジュールにスケジュールする条件を満たす信号を選定してスケジュールし、スケジュールされた信号を前記端末に対して送信し、蓄積された信号と同一の信号が前記上位局から再送される前に、当該蓄積された信号を破棄し、信号の破棄状況を計測／記憶し、前記基地局へ到着した信号を破棄状況に基づいて破棄することを特徴としている。
【００１３】
【発明の実施の形態】
次に、本発明の実施の形態について図面を参照して説明する。図１は、本発明のＴＤＭＡ方式移動体通信システムにおける送信方式を適用した一つの実施の形態を示すブロック図である。
【００１４】
図１に示す本実施の形態は、通信網１００と、基地局を構成する基地局制御装置２００および送信装置３００と、端末４００とより構成されている。
【００１５】
送信装置３００は、基地局へ到着した信号等を出力する信号受信処理部３０１と、送信信号、送信開始条件（以下、送信条件と略す。）および蓄積時間を保存する送信データ保存用メモリ３０２と、スケジュールできない信号の送信条件および到着順を管理する到着順管理テーブル３０３と、信号選定処理部３０４と、蓄積時間カウント処理部３０５ａを含む信号選定処理部３０５と、フレームトリガ発生器３０６と、現フレームから数フレーム分先までのスロット使用状況を管理するスケジュールテーブル３０７と、端末４００への送信部である対端末送信部３０８と、スロットを含む対端末送信データ設定用メモリ３０９と、送信条件毎に信号の破棄状況を計測／記憶する破棄状況管理テーブル３１０と、トリガ発生器３１１とより構成されている。
【００１６】
次に、本実施の形態の動作を図１を参照して詳細に説明する。
【００１７】
通信網１００は、基地局に対して送信信号と共に基地局内で蓄積される所定時間（蓄積時間の上限値）を通知し、所定時間内に送信されない場合には、通信網１００の再送制御により同一の信号を再送する。
【００１８】
基地局制御装置２００は、通信網１００からの送信信号を受けて送信装置３００の信号受信処理部３０１に送出する。
【００１９】
信号受信処理部３０１は、基地局から端末４００へ伝送される送信信号が基地局に到着した時、送信条件に応じた破棄状況管理テーブル３１０に備える記憶用カウンタを参照し、別途規定された記憶用カウンタの上限値を超えているか否かを判断する。記憶用カウンタの上限値に達していない場合には、到着した送信信号を信号選定処理部３０４に送出し、記憶用カウンタの上限値を超えている場合には、信号を処理せずに破棄する。また、信号選定処理部３０４からスケジュールできない情報を受けた時には、送信信号を送信条件と共に送信データ保存用メモリ３０２に送出し、スケジュール不可能の情報を到着順管理テーブル３０３に送出する。
【００２０】
送信データ保存用メモリ３０２は、複数の送信バッファ１〜ｎからなり、スケジュールできない送信信号と、その送信条件および蓄積時間（蓄積時間の上限値を含む）とを到着順に保存する。
【００２１】
信号選定処理部３０４は、信号受信処理部３０１から受けた送信信号を空きスケジュールでスケジュールすることができるか否かを判断する。スケジュールすることができる時には送信信号をスケジュールテーブル３０７に送出し、スケジュールすることができないと判断した時には、スケジュール不可能の情報を信号受信処理部３０１に送出する。
【００２２】
到着順管理テーブル３０３は、基地局に到着した送信信号がスケジュールできない場合には、送信信号の送信条件と到着順とを管理する。
【００２３】
信号選定処理部３０５は、到着順管理テーブル３０３からの情報を基に、１フレーム毎に送信バッファに蓄積された送信データから空きスケジュールにスケジュールする条件を満たす送信データを選定してスケジュールテーブル３０７に出力する。また、フレームトリガ発生器３０６出力により、１フレーム毎に信号選定処理を行う。
【００２４】
蓄積時間カウント処理部３０５ａは、送信バッファ内の信号の蓄積時間を１フレーム毎にカウントアップし、信号が到着した時に上位局から通知された蓄積時間の上限値を超えた信号については送信バッファを解放して破棄する。
【００２５】
スケジュールテーブル３０７は、現フレームから数フレーム分先までのスロット使用状況を管理する。
【００２６】
フレームトリガ発生器３０６は、１フレーム毎に信号選定開始トリガを生成して出力する。
【００２７】
破棄状況管理テーブル３１０は、送信条件毎に存在し、単位時間毎に過去数回分の破棄状況を保有する複数の計測用カウンタと、計測位置を特定するポインタと、単位時間経過時に求める移動平均を保存する記憶用カウンタとを備える。
【００２８】
次に、本実施の形態の信号受信時の動作について説明する。
【００２９】
基地局に新たに到着した送信信号は、送信条件に応じた破棄状況管理テーブル３１０に備える記憶用カウンタを参照し、別途規定された記憶用カウンタの上限値を超えているか否かが判断される。記憶用カウンタの上限値に達していない場合には、信号選定処理部３０４に送られ、空きスケジュールで送信開始可能な信号はスケジュールテーブル３０７に送出される。スケジュールできない信号は送信開始条件と共に送信データ保存用メモリ３０２の送信バッファに到着順に蓄積される。この時、蓄積時間カウントを開始して初期値“０”フレームが送信バッファの蓄積時間に設定される。また、記憶用カウンタの上限値を超えている場合には、信号を処理せずに破棄する。
【００３０】
また、信号選定処理部３０４では、１フレーム毎にスケジュールテーブル３０７の先頭のデータを端末４００に対して送信すると共に、スケジュールテーブル３０７を１フレーム分先に更新し、新規スケジュールテーブルである最終の１フレームに対して、到着順に送信バッファ内の送信条件を判定し、送信開始可能な信号を当該スケジュールに割り当てる。信号選定処理部３０５では、蓄積された全信号について蓄積時間を１フレームカウントアップし、通知された蓄積時間の上限値を超えた信号については送信バッファを解放して信号破棄する。この時、破棄状況管理テーブル３１０では、送信条件に応じた計測用カウンタをカウントアップする。すなわち、単位時間毎に過去数回分を保有する計測用カウンタがカウントアップし、記憶用カウンタがその移動平均を求めて保存する。
【００３１】
次に、信号選定手順について図２を参照し具体的に説明する。
【００３２】
まず、送信バッファのフレーム等は、スケジュール対象であるかが判断される（Ｓ１）。送信バッファのフレームがスケジュール対象である時には、スケジュールテーブル３０７が空いているか否かを判断する（Ｓ２）。スケジュールテーブル３０７が空いている時には、スケジュールテーブル３０７に１フレーム分が確保可能であるか否かを判断する（Ｓ３）。スケジュールテーブル３０７に１フレーム分が確保可能である時には、当該送信信号を送信スケジュールに割り当てた（Ｓ４）後に、次の送信バッファに送信信号が蓄積されているか否かを判断する（Ｓ５）。次の送信バッファに送信信号が蓄積されている時にはステップＳ１へ戻る。
【００３３】
一方、送信バッファのフレームがスケジュール対象でない時（Ｓ１）、スケジュールテーブルが空いていない時（Ｓ２）およびスケジュールテーブルに１フレーム分が確保可能でない時（Ｓ３）には、蓄積時間をカウントアップした（Ｓ６）後に、カウントアップした蓄積時間が通知された蓄積時間の上限値より大きいか否かを判断する（Ｓ７）。蓄積時間が通知された蓄積時間の上限値より小さいときはステップＳ５へ移行する。また、カウントアップした蓄積時間が通知された蓄積時間の上限値より大きいときは、当該送信バッファを解放（Ｓ８）して送信信号を破棄し、送信条件に応じた破棄状況管理テーブル３１０に備える計測用カウンタをカウントアップしてからステップＳ５へ移行する。
【００３４】
以上の本発明の実施の形態により、蓄積時間の上限値をオーバしてバッファに蓄積されたままの信号、すなわち通信網１００の再送制御により再送される信号を送信バッファから解放し信号破棄することにより、不要信号によるバッファの占有をなくすシステムを実現することができる。
【００３５】
次に、他の実施の形態としてパケット用基地局変復調装置の例について説明する。図３は、この発明の他の実施の形態のブロック図である。なお、図１と同じ構成要素には同じ符号を付し、その説明を省略する。
【００３６】
この実施の形態においては、上位装置５００と、上位装置５００からの送信信号を受ける基地局制御装置２００および送信装置３００と、複数の端末装置４００とを有している。基地局制御装置２００と送信装置３００とは、パケット用基地局を構成している。
【００３７】
また、送信装置３００は、送信信号、送信条件及び蓄積時間を保存する送信データ保存用メモリ３０２と、現フレームから数フレーム分先までのスロット使用状況を管理するスケジュールテーブル３０７と、スケジュールできない信号の到着順を管理する到着順管理テーブル３０３と、送信条件毎に信号の破棄状況を計測／記憶する破棄状況管理テーブル３１０とを有している。
【００３８】
ここで、空きバッファ管理情報および送信待ちバッファ管理情報を図４に示す。空きバッファ管理情報は未使用の送信バッファをチェーンリンク管理するための情報であり、送信待ちバッファ管理情報は送信信号を到着順にチェーンリンク管理するための情報である。各情報には、先頭バッファ番号、最終バッファ番号、バッファ数がある。
【００３９】
図５は、送信装置内の送信バッファを示す。送信バッファは端末４００へ伝送される送信信号を送信条件と共に記憶するエリアである。送信バッファには、送信条件である「送信開始フレーム＃」、「使用チャネル＃」、「使用タイムスロット数」、送信データを格納する領域である「送信データ」、チェーンリンク管理するための情報である「前リンクバッファ番号」および「後リンクバッファ番号」がある。また、上位局５００から送信信号と共に通知された蓄積時間の上限値を保存するための「蓄積時間」と経過時間を保存するための「蓄積カウント時間」とがある。ここで、「蓄積時間」は上位局５００（または通信網１００）から送られた信号に対して、上位局５００（または通信網１００）の再送制御による再送シーケンスが発生する時間より短く設定されることにより、上位局５００から同一の信号が再送される時点で破棄することが可能となる。
【００４０】
図６に送信スケジュールを示す。送信スケジュールはチャネル状態を管理するための情報である。同情報は各チャネル単位に数フレーム分のタイムスロット情報を持つ。タイムスロット情報には送信データ有無、継続空きフレーム数、送信中バッファ番号、送信ユニット番号（送信データをタイムスロットサイズで割り、その何番目を送信するか示すポインタ）がある。
【００４１】
図３に示す破棄状況管理テーブル３１０は、送信条件毎に存在し、複数の計測用カウンタ、計測位置を特定するポインタ、移動平均を保存する記憶用カウンタを保有する。
【００４２】
次に、上記他の実施形態の動作について説明する。
【００４３】
送信信号の管理については、現フレームから数フレーム分先までのスロット使用状況がスケジュールテーブル３０７で管理される。基地局から端末４００へ伝送される送信信号が基地局に到着した時には、送信条件に応じた破棄状況管理テーブル３１０に備える記憶用カウンタを参照し、別途規定された記憶用カウンタの上限値を超えているか否かを判断する。記憶用カウンタの上限値を超えている場合には、信号を処理せずに破棄する。上限値に達していない場合には、空きスケジュールで送信開始可能な信号はスケジュールされ、スケジュールできない信号は送信条件と共に送信バッファに到着順に蓄積される。また、１フレーム毎にスケジュールテーブル３０７先頭のデータを端末４００に対して送信すると共に、スケジュールテーブル３０７を１フレーム分先に更新し、新規スケジュールテーブルである最終の１フレームに対して、到着順に送信バッファ内の信号の送信条件を判定し、送信開始可能な信号を当該スケジュールに割り当てる。
【００４４】
次に、蓄積された信号の選定について、図７のフローチャートに従って説明する。
【００４５】
送信待ちバッファ管理情報の「先頭バッファ番号」から先頭を求めた後、チェーンリンクをたどることにより到着順に行われる。スケジュールテーブル３０７の先頭のデータを送信すると、スケジュールテーブル３０７は１フレーム先に更新される。スケジュールできない場合は送信バッファの蓄積カウント時間を１フレームカウントアップし、上位局５００から通知された蓄積時間の上限値と大小関係を判定し、蓄積カウント時間が蓄積時間の上限値を超える場合は送信バッファを解放して信号を破棄する。
【００４６】
結果として、カウントアップした蓄積時間が蓄積時間の上限値を超えた信号は、上位局５００から送信信号と共に通知された蓄積時間の上限値以内に送信されない信号であって、上位局５００からの再送制御により同一の信号が再送されるため、この時不要となる（つまり、不要信号となる）。したがって、カウントアップにより蓄積時間の上限値を超えた信号を破棄することにより、不要信号による送信バッファの占有をなくすことができる。
【００４７】
また、この時、送信条件に応じた破棄状況管理テーブルのポインタが示す計測用カウンタをカウントアップする。記憶用カウンタは、単位時間経過時に計測用カウンタから平均を求めて記憶用カウンタに設定し、ポインタを更新する。これにより、計測用カウンタには過去数回分のデータを保有し、記憶用カウンタはその移動平均値となる。これより、基地局から端末４００へ伝送される送信信号が基地局に到着した時に、記憶用カウンタを参照して再送制御が発生する可能性が高い信号を送信バッファに蓄積しないことにより、送信バッファの占有をなくすことができる。
【００４８】
【発明の効果】
以上説明したように、本発明のＴＤＭＡ方式移動体通信システムにおける送信方式および送信方法によれば、信号蓄積時間を網側の再送制御とリンクすることで、送信バッファに蓄積された不必要な信号の滞留・エア送信をなくすことにより、他信号の信号蓄積時間が短縮され、伝送効率が向上するという効果がある。
【図面の簡単な説明】
【図１】本発明のＴＤＭＡ方式移動体通信システムにおける送信方式を適用した一つの実施の形態を示すブロック図である。
【図２】動作概要を示すフローチャートである。
【図３】この発明の他の実施の形態のブロック図である。
【図４】バッファ管理に使用する空き／送信待ちバッファ管理情報を示す図である。
【図５】送信信号の蓄積に使用する送信バッファを示す図である。
【図６】送信スケジュールを示す図である。
【図７】図３の動作概要を示すフローチャートである。
【符号の説明】
１００    通信網
２００    基地局制御装置
３００    送信装置
４００    端末
５００    上位局
３０１    信号受信処理部
３０２    送信データ保存用メモリ
３０３    到着順管理テーブル
３０４、３０５    信号選定処理部
３０５ａ    蓄積時間カウント処理部
３０６    フレームトリガ発生器
３０７    スケジュールテーブル
３０８    対端末送信部
３０９    対端末送信データ設定用メモリ
３１０    破棄状況管理テーブル
３１１    トリガ発生器
【図１】
2004173057.tif 000003
【図２】
2004173057.tif 000004
【図３】
2004173057.tif 000005
【図４】
2004173057.tif 000006
【図５】
2004173057.tif 000007
【図６】
2004173057.tif 000008
【図７】
2004173057.tif 000009